(57)【要約】【課題】旧来の印刷媒体に掲載されるテレビ番組表によってではなく、電子番組ガイド（ＥＰＧ、ｅｌｅｃｔｒｏｎｉｃ　ｐｒｏｇｒａｍ　ｇｕｉｄｅ）を利用して、テレビ番組情報データを配信する技術は極めて重要になってきたが、電子番組ガイドの表示内容がユーザにとって把握しづらいことがあった。【解決手段】各テレビ番組に関するテレビ番組情報データおよびテレビ番組画像データがそれぞれ書き込まれる複数の表示セルを、放送が行われる順番がより早いテレビ番組に関するテレビ番組情報データおよびテレビ番組画像データが書き込まれる表示セルの面積がより大きくなるように、ディスプレイ部１３０に表示する中央演算処理部１１０を備えたＥＰＧ表示装置である。【選択図】　図１
2004007257.tif 000002
【特許請求の範囲】
【請求項１】
各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示手段を備えたテレビ番組データ表示装置。
【請求項２】
前記表示手段は、前記複数の表示セルの内、前記放送が行われるチャネルが同じである前記テレビ番組に関するテレビ番組データが書き込まれる前記表示セルがそれらの位置、色彩、形状の内の少なくとも一つに関して整理されているように、前記表示を行う請求項１記載のテレビ番組データ表示装置。
【請求項３】
前記表示手段は、前記複数の表示セルの内、前記放送が行われる順番または時間がより早い前記テレビ番組に関するテレビ番組データが書き込まれる前記表示セルが所定の奥行き方向を基準にしてより手前にくるよう三次元空間に配置されていて、前記より手前にくるよう配置された前記表示セルがより大きく見えるように、前記表示を行う請求項１記載のテレビ番組データ表示装置。
【請求項４】
前記配置は、前記複数の表示セルの内、前記放送が行われるチャネルが同じである前記テレビ番組に関するテレビ番組データが書き込まれる前記表示セルが前記所定の奥行き方向に沿って存するような配置である請求項３記載のテレビ番組データ表示装置。
【請求項５】
前記配置は、前記複数の表示セルの内、前記放送が行われる順番または時間が同じである前記テレビ番組に関するテレビ番組データが書き込まれる前記表示セルが所定の曲線または直線に沿って存するような配置である請求項４記載のテレビ番組データ表示装置。
【請求項６】
前記所定の曲線または直線は、ユーザの指示に応じて変更可能である請求項５記載のテレビ番組データ表示装置。
【請求項７】
前記表示手段は、前記複数の表示セル同士が互いに重なり合わないように、前記表示を行う請求項５記載のテレビ番組データ表示装置。
【請求項８】
前記表示手段は、前記複数の表示セルの内、ユーザの指示に応じて変更可能な前記三次元空間の所定の領域に配置された前記表示セルに対して、前記表示を行う請求項３記載のテレビ番組データ表示装置。
【請求項９】
前記表示手段は、前記テレビ番組データに基づいて、前記表示セルがそれらの位置、色彩、形状の内の少なくとも一つに関して整理されているように、前記表示を行う請求項１記載のテレビ番組データ表示装置。
【請求項１０】
前記表示手段は、前記複数の表示セルの内、ユーザの指示に応じて選択された前記表示セルに対しては、前記放送が行われる順番または時間がより早い前記テレビ番組に関するテレビ番組データが書き込まれる前記表示セルの面積がより大きくなるとのルールを無視して、拡大表示を行う請求項１記載のテレビ番組データ表示装置。
【請求項１１】
各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示ステップを備えたテレビ番組データ表示方法。
【請求項１２】
請求項１１記載のテレビ番組データ表示方法の、各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示ステップをコンピュータに実行させるためのプログラム。
【請求項１３】
請求項１２記載のプログラムを担持した媒体であって、コンピュータにより処理可能な媒体。
【発明の詳細な説明】
【０００１】
【発明の属する技術分野】
本発明は、電子番組ガイド（ＥＰＧ、ｅｌｅｃｔｒｏｎｉｃ　ｐｒｏｇｒａｍｇｕｉｄｅ）を利用するための、テレビ番組データ表示装置、テレビ番組データ表示方法、プログラム、および媒体に関する。
【０００２】
【従来の技術】
各テレビ番組に関するテレビ番組名、テレビ番組放送チャネル、テレビ番組放送日、テレビ番組放送時間などに関するテレビ番組情報データは、新聞や雑誌などの印刷媒体に掲載されるテレビ番組表によってユーザに配布されることが普通であった。
【０００３】
近年、これらのテレビ番組情報データを、放送局側からデータ放送などを利用して送信し、一般家庭側で受信して電子番組ガイドとして表示するためのシステムが、実用化された。
【０００４】
一方、テレビ番組の放送チャネル数は、ディジタル衛星放送サービスの本格的な開始にともなって飛躍的に増大しつつあり、上述のようなテレビ番組情報データのデータ量も、増加の一途を辿っている。
【０００５】
そのため、旧来の印刷媒体に掲載されるテレビ番組表によってではなく、電子番組ガイドを利用してテレビ番組情報データを配信する技術は、極めて重要になってきた。
【０００６】
【発明が解決しようとする課題】
しかしながら、上述した電子番組ガイドの表示内容がユーザにとって把握しづらいことがあるという課題があった。
【０００７】
本発明者は、電子番組ガイドはテレビ番組の視聴予約や録画予約などを行う際にもより積極的に利用されるべきものであり、たとえば、視力が低い高齢者などにとってもより利用しやすい仕様がいろいろと工夫されるべきであると考えている。
【０００８】
本発明は、上記従来のこのような課題を考慮し、その表示内容がユーザにとってより把握しやすいように電子番組ガイドの表示を行うことができるテレビ番組データ表示装置、テレビ番組データ表示方法、プログラム、および媒体を提供することを目的とするものである。
【０００９】
【課題を解決するための手段】
第１の本発明は、各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示手段を備えたテレビ番組データ表示装置である。
【００１０】
第２の本発明は、前記表示手段は、前記複数の表示セルの内、前記放送が行われるチャネルが同じである前記テレビ番組に関するテレビ番組データが書き込まれる前記表示セルがそれらの位置、色彩、形状の内の少なくとも一つに関して整理されているように、前記表示を行う第１の本発明のテレビ番組データ表示装置である。
【００１１】
第３の本発明は、前記表示手段は、前記複数の表示セルの内、前記放送が行われる順番または時間がより早い前記テレビ番組に関するテレビ番組データが書き込まれる前記表示セルが所定の奥行き方向を基準にしてより手前にくるよう三次元空間に配置されていて、前記より手前にくるよう配置された前記表示セルがより大きく見えるように、前記表示を行う第１の本発明のテレビ番組データ表示装置である。
【００１２】
第４の本発明は、前記配置は、前記複数の表示セルの内、前記放送が行われるチャネルが同じである前記テレビ番組に関するテレビ番組データが書き込まれる前記表示セルが前記所定の奥行き方向に沿って存するような配置である第３の本発明のテレビ番組データ表示装置である。
【００１３】
第５の本発明は、前記配置は、前記複数の表示セルの内、前記放送が行われる順番または時間が同じである前記テレビ番組に関するテレビ番組データが書き込まれる前記表示セルが所定の曲線または直線に沿って存するような配置である第４の本発明のテレビ番組データ表示装置である。
【００１４】
第６の本発明は、前記所定の曲線または直線は、ユーザの指示に応じて変更可能である第５の本発明のテレビ番組データ表示装置である。
【００１５】
第７の本発明は、前記表示手段は、前記複数の表示セル同士が互いに重なり合わないように、前記表示を行う第５の本発明のテレビ番組データ表示装置である。
【００１６】
第８の本発明は、前記表示手段は、前記複数の表示セルの内、ユーザの指示に応じて変更可能な前記三次元空間の所定の領域に配置された前記表示セルに対して、前記表示を行う第３の本発明のテレビ番組データ表示装置である。
【００１７】
第９の本発明は、前記表示手段は、前記テレビ番組データに基づいて、前記表示セルがそれらの位置、色彩、形状の内の少なくとも一つに関して整理されているように、前記表示を行う第１の本発明のテレビ番組データ表示装置である。
【００１８】
第１０の本発明は、前記表示手段は、前記複数の表示セルの内、ユーザの指示に応じて選択された前記表示セルに対しては、前記放送が行われる順番または時間がより早い前記テレビ番組に関するテレビ番組データが書き込まれる前記表示セルの面積がより大きくなるとのルールを無視して、拡大表示を行う第１の本発明のテレビ番組データ表示装置である。
【００１９】
第１１の本発明は、各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示ステップを備えたテレビ番組データ表示方法である。
【００２０】
第１２の本発明は、第１１の本発明のテレビ番組データ表示方法の、各テレビ番組に関するテレビ番組データがそれぞれ書き込まれる複数の表示セルを、放送が行われる順番または時間がより早い前記テレビ番組に関するテレビ番組データが書き込まれる前記表示セルの面積がより大きくなるように、所定の二次元ディスプレイに表示する表示ステップをコンピュータに実行させるためのプログラムである。
【００２１】
第１３の本発明は、第１２の本発明のプログラムを担持した媒体であって、コンピュータにより処理可能な媒体である。
【００２２】
【発明の実施の形態】
以下に、本発明にかかる実施の形態について、図面を参照しつつ説明を行う。
【００２３】
（実施の形態１）
はじめに、本発明にかかる実施の形態１のＥＰＧ表示装置の構成図である図１を主として参照しながら、本実施の形態のＥＰＧ表示装置の構成について説明する。
【００２４】
本実施の形態のＥＰＧ表示装置は、テレビ番組データ蓄積部１２０に蓄積されている各テレビ番組に関するテレビ番組情報データおよびテレビ番組画像データがそれぞれ書き込まれる表示セルを、放送が行われる順番がより早いテレビ番組に関するテレビ番組情報データおよびテレビ番組画像データが書き込まれる表示セルが奥行き方向を基準にしてより手前にくるよう三次元空間に配置されていて、より手前にくるよう配置された表示セルがより大きく見えるように（図３参照）、ディスプレイ部１３０に表示する中央演算処理部１１０を備えている。
【００２５】
本実施の形態においては、複数の表示セルの内、放送が行われる順番が同じであるテレビ番組に関するテレビ番組情報データおよびテレビ番組画像データが書き込まれる表示セルは、後述の（数３）で表される円ＣＮに沿って存するように配置される（図１１参照）。
【００２６】
なお、ディスプレイ部１３０は本発明の二次元ディスプレイを含む手段に対応し、中央演算処理部１１０は本発明の表示手段を含む手段に対応する。また、本実施の形態のＥＰＧ表示装置は、本発明のテレビ番組データ表示装置に対応する。また、本実施の形態のテレビ番組情報データおよびテレビ番組画像データは、本発明のテレビ番組データに対応する。
【００２７】
つぎに、本実施の形態のＥＰＧ表示装置の構成について、より詳細に説明する。
【００２８】
ユーザ指示部１４０は、ユーザが指示を入力するためのリモートコントローラを有する手段である。
【００２９】
ディスプレイ部１３０は、中央演算処理部１１０が行った演算の結果などをユーザに対してディスプレイするためのディスプレイモニタを有する手段である。
【００３０】
テレビ番組データ蓄積部１２０は、放送局（図示省略）側から送信されてくる各テレビ番組に関するテレビ番組情報データおよびテレビ番組画像データを蓄積しておくためのメモリを有する手段である。
【００３１】
テレビ番組情報データは、（１）テレビ番組の名称であるテレビ番組名、（２）１〜６チャネルの内のテレビ番組の放送が行われるチャネルであるテレビ番組放送チャネル、（３）テレビ番組の放送が行われる年、月、日であるテレビ番組放送日、（４）テレビ番組の放送が開始される時、分およびテレビ番組の放送が終了される時、分であるテレビ番組放送時間からなるデータである。
【００３２】
テレビ番組画像データは、放送局（図示省略）側でテレビ番組に応じてあらかじめ選択されるパターンからなるデータである。
【００３３】
中央演算処理部１１０は、ユーザ指示部１４０が行う指示に応じて、テレビ番組データ蓄積部１２０に蓄積されている、各テレビ番組に関するテレビ番組情報データを文字情報として、各テレビ番組に関するテレビ番組画像データをバックグラウンド画像として、それぞれの表示セルに書き込み、テレビ番組情報データおよびテレビ番組画像データが書き込まれた表示セルをディスプレイ部１３０に表示するための中央処理装置やバッファメモリを有する手段である。
【００３４】
表示セルは、本発明にかかる実施の形態１の表示セルＣ１２２の説明図である図２に示されているように、上述したテレビ番組情報データが文字情報として、上述したテレビ番組画像データがバックグラウンド画像として書き込まれる、横の辺の長さがａであって縦の辺の長さがｂである長方形の形状を有するセルである。
【００３５】
ここに、ａ、ｂは、不等式
【００３６】
【数１】
（ａ２＋ｂ２）１／２＜ｍｉｎ｛１、２（ｅ−１）／（ｅ＋１）｝＝２（ｅ−１）／（ｅ＋１）
が成立するように定められている（ｅは自然対数の底である）。
【００３７】
したがって、後に詳述されるように、表示セルの表示は、表示セル同士が互いに重なり合わないように行われる。
【００３８】
ここで、本実施の形態の特徴である、（Ａ）表示セルの（Ｘ、Ｙ、Ｚ）−三次元空間への配置、および（Ｂ）表示セルの（Ｘ、Ｙ）−二次元平面への表示について、より詳細に説明する。
【００３９】
（Ａ）表示セルの仮想的な（Ｘ、Ｙ、Ｚ）−三次元空間への配置は、表示が行われる現時点を基準にしてＮ（Ｎ≧１、Ｎは整数）番目にｋ（１≦ｋ≦６、ｋは整数）チャネルにおいて放送が行われるテレビ番組に関するテレビ番組情報データおよびテレビ番組画像データが書き込まれる表示セルに関しては、その中心が点
【００４０】
【数２】
（ｃｏｓ（π（ｋ−１）／３）、ｓｉｎ（π（ｋ−１）／３）、Ｎ）
に存しており、その縦の辺がＹ軸に平行であり、その横の辺がＸ軸に平行であるように行われる。
【００４１】
したがって、前述されたように、表示セルの配置は、放送が行われる順番がより早いテレビ番組に関するテレビ番組情報データおよびテレビ番組画像データが書き込まれる表示セルが奥行き方向であるＺ軸方向を基準にしてより原点Ｏ（０、０、０）に近い手前にくるように行われる。
【００４２】
また、表示セルの配置は、表示が行われる現時点を基準にしてＮ番目に放送が行われるテレビ番組に関するテレビ番組情報データおよびテレビ番組画像データが書き込まれる表示セルの中心が、方程式
【００４３】
【数３】
Ｘ２＋Ｙ２＝１、Ｚ＝Ｎ
で表される、中心が点（０、０、Ｎ）であり半径が１である円ＣＮに沿って存するように行われる。
【００４４】
また、表示セルの配置は、放送が行われるチャネルがｋチャネルであるテレビ番組に関するテレビ番組情報データおよびテレビ番組画像データが書き込まれる表示セルの中心が、方程式
【００４５】
【数４】
Ｘ＝ｃｏｓ（π（ｋ−１）／３）、Ｙ＝ｓｉｎ（π（ｋ−１）／３）
で表される、奥行き方向であるＺ軸に平行である直線に沿って存するように行われる。
【００４６】
（Ｂ）表示セルのディスプレイ部１３０が有するディスプレイモニタ上の（Ｘ、Ｙ）−二次元平面への表示は、定義域
【００４７】
【数５】
｜Ｘ｜≦１＋ａ／２、｜Ｙ｜≦１＋ｂ／２、Ｚ０≦Ｚ≦Ｚ０＋２　（Ｚ０≧１、Ｚ０は整数）
で定義される、（Ｘ、Ｙ、Ｚ）−三次元空間から（Ｘ、Ｙ）−二次元平面への、表示基準点（０、０、Ｚ０）に関する変換式
【００４８】
【数６】
ｆ１（Ｘ、Ｙ、Ｚ）＝（Ｘｅｘｐ（−（Ｚ−Ｚ０））、Ｙｅｘｐ（−（Ｚ−Ｚ０）））
を利用して行われる。
【００４９】
ここに、表示基準点（０、０、Ｚ０）はユーザ指示部１４０が行う指示に応じてＺ０＝Ｎ０（Ｎ０≧１、Ｎ０は整数）となるよう自由に変更可能であるが、Ｚ０のデフォルト値は１である。
【００５０】
ディスプレイ部１３０が有するディスプレイモニタ上の（Ｘ、Ｙ）−二次元平面には、（Ｘ、Ｙ）−座標軸が実際に表示されるわけではないが、本発明にかかる実施の形態１の（Ｘ、Ｙ）−二次元平面へのデフォルト値を利用した表示の説明図である図１１には、その理解を容易にするため、実際にディスプレイモニタ上に表示されない（Ｘ、Ｙ）−座標軸などを重ねて表示した。
【００５１】
したがって、前述されたように、表示セルの表示は、奥行きであるＺ座標に応じた乗法因子ｅｘｐ（−（Ｚ−Ｚ０））が利用されるゆえ、より原点Ｏ（０、０、０）に近い手前にくるよう配置された表示セルがより大きく見えるように行われる。
【００５２】
また、表示セルの表示は、（１）Ｎ番目に放送が行われるテレビ番組に関するテレビ番組情報データおよびテレビ番組画像データが書き込まれる表示セル同士が表示されたときに互いに重なり合わないための条件（すなわち、これらの外接円が互いに重なり合わないための条件）である不等式
【００５３】
【数７】
（ａ２＋ｂ２）１／２／２＋（ａ２＋ｂ２）１／２／２＜２ｓｉｎ（π／６）
すなわち不等式
【００５４】
【数８】
（ａ２＋ｂ２）１／２＜１
が成立し、かつ（２）（Ｎ−１）番目に放送が行われるテレビ番組に関するテレビ番組情報データおよびテレビ番組画像データが書き込まれる表示セルと、Ｎ番目に放送が行われるテレビ番組に関するテレビ番組情報データおよびテレビ番組画像データが書き込まれる表示セルとが表示されたときに互いに重なり合わないための条件（すなわち、これらの外接円が互いに重なり合わないための条件）である不等式
【００５５】
【数９】
（ａ２＋ｂ２）１／２ｅｘｐ（−（（Ｎ−１）−Ｎ０））／２＋（ａ２＋ｂ２）１／２ｅｘｐ（−（Ｎ−Ｎ０））／２＜ｅｘｐ（−（（Ｎ−１）−Ｎ０））−ｅｘｐ（−（Ｎ−Ｎ０））
すなわち不等式
【００５６】
【数１０】
（ａ２＋ｂ２）１／２＜２（ｅ−１）／（ｅ＋１）
が成立することは、前述の（数１）が成立することと同じであるゆえ、結局のところ表示セル同士が互いに全く重なり合わないように行われる。
【００５７】
もちろん、表示セルの表示は、（数３）、（数５）〜（数６）より、Ｎ０、Ｎ０＋１、Ｎ０＋２番目に放送が行われるテレビ番組に関するテレビ番組情報データおよびテレビ番組画像データが書き込まれる表示セルに関して行われる。たとえば、（数５）〜（数６）におけるＺ０（＝Ｎ０）のデフォルト値は１であるゆえ、初期表示基準点設定における表示セルの表示は、１、２、３番目に放送が行われるテレビ番組に関するテレビ番組情報データおよびテレビ番組画像データが書き込まれる表示セルに関して行われる。
【００５８】
つぎに、本実施の形態のＥＰＧ表示装置の動作について説明する。なお、本実施の形態のＥＰＧ表示装置の動作について説明しながら、本発明のテレビ番組データ表示方法の一実施の形態についても説明する。
【００５９】
以下では、▲１▼初期表示基準点設定を利用して表示セルの表示が行われる場合の動作、▲２▼ユーザが行った表示基準点設定変更指示に応じた表示基準点設定を利用して表示セルの表示が行われる場合の動作、▲３▼ユーザが行った拡大表示セル選択指示に応じて選択された表示セルの拡大表示が行われる場合の動作について、順に説明する。
【００６０】
▲１▼初期表示基準点設定を利用して表示セルの表示が行われる場合の動作；ユーザ指示部１４０は、ユーザが行った指示に応じて、デフォルト設定として設定されている初期表示基準点設定（Ｚ０＝Ｎ０＝１）における表示セルの表示を行うための指示を、中央演算処理部１１０に対して行う。
【００６１】
中央演算処理部１１０は、ユーザ指示部１４０が行った指示に応じて、テレビ番組データ蓄積部１２０に蓄積されている、各テレビ番組に関するテレビ番組情報データを文字情報として、各テレビ番組に関するテレビ番組画像データをバックグラウンド画像として、それぞれの表示セルに書き込む。
【００６２】
中央演算処理部１１０は、テレビ番組情報データおよびテレビ番組画像データが書き込まれた表示セルを、仮想的な（Ｘ、Ｙ、Ｚ）−三次元空間へ配置する。
【００６３】
その配置は、前述したように、表示が行われる現時点を基準にしてＮ（Ｎ≧１、Ｎは整数）番目にｋ（１≦ｋ≦６、ｋは整数）チャネルにおいて放送が行われるテレビ番組に関するテレビ番組情報データおよびテレビ番組画像データが書き込まれた表示セルに関しては、その中心が（数２）で表される点に存しており、その縦の辺がＹ軸に平行であり、その横の辺がＸ軸に平行であるように行われる。
【００６４】
中央演算処理部１１０は、本発明にかかる実施の形態１の表示セルの表示の説明図である図３に示されているように、（Ｘ、Ｙ、Ｚ）−三次元空間へ配置された表示セルを、ディスプレイ部１３０が有するディスプレイモニタ上の（Ｘ、Ｙ）−二次元平面へ表示する。
【００６５】
その表示は、前述したように、（数５）で表される定義域（ただし、ここではＺ０＝Ｎ０＝１である）で定義される、（Ｘ、Ｙ、Ｚ）−三次元空間から（Ｘ、Ｙ）−二次元平面への（数６）で表される変換式を利用して行われる。
【００６６】
このようにして、初期表示基準点設定（Ｚ０＝Ｎ０＝１）における表示セルの表示が、１、２、３番目に放送が行われるテレビ番組に関するテレビ番組情報データおよびテレビ番組画像データが書き込まれた表示セルの表示として行われる。
【００６７】
なお、図３に示されているように、最も手前にある１番目に放送が行われるテレビ番組に関するテレビ番組情報データおよびテレビ番組画像データが書き込まれた表示セルの近傍には、その奥行き方向に存する表示セルに書き込まれたテレビ番組情報データおよびテレビ番組画像データが関するテレビ番組の放送されるチャネル（１ＣＨ〜６ＣＨ）を表示するためのテレビ番組放送チャネル表示タッグＴ１１１〜Ｔ１１６が表示されている。
【００６８】
また、放送が行われる順番が同じテレビ番組に関するテレビ番組情報データおよびテレビ番組画像データが書き込まれた表示セルが沿って存する円ＣＮには、円ＣＮに沿って存する表示セルに書き込まれたテレビ番組情報データおよびテレビ番組画像データが関するテレビ番組の放送される順番（ここでは１番目〜３番目である）を表示するための矢印付きテレビ番組放送順番表示タッグＴ１２１〜Ｔ１２３が表示されている。
【００６９】
▲２▼ユーザが行った表示基準点設定変更指示に応じた表示基準点設定を利用して表示セルの表示が行われる場合の動作；ユーザ指示部１４０は、ユーザが行った表示基準点設定変更指示に応じて、新たに設定されるべき表示基準点設定（Ｚ０＝Ｎ０＝２）における表示セルの表示を行うための指示を、中央演算処理部１１０に対して行う。
【００７０】
ここでの表示基準点設定変更指示は、２番目に２チャネルにおいて放送が行われるテレビ番組に関するテレビ番組情報データおよびテレビ番組画像データが書き込まれた表示セルＣ１２２の、ユーザによるポインタＰでのシングルクリックを利用して行われる（図３参照）。要するに、Ｎ０番目に放送が行われるテレビ番組に関するテレビ番組情報データおよびテレビ番組画像データが書き込まれた表示セルがポインタＰでシングルクリックされた場合には、Ｚ０＝Ｎ０となるように表示基準点設定が変更されるわけである。
【００７１】
中央演算処理部１１０は、ユーザ指示部１４０が行った指示に応じて、テレビ番組データ蓄積部１２０に蓄積されている、各テレビ番組に関するテレビ番組情報データを文字情報として、各テレビ番組に関するテレビ番組画像データをバックグラウンド画像として、それぞれの表示セルに書き込む。
【００７２】
中央演算処理部１１０は、テレビ番組情報データおよびテレビ番組画像データが書き込まれた表示セルを、仮想的な（Ｘ、Ｙ、Ｚ）−三次元空間へ配置する。
【００７３】
中央演算処理部１１０は、本発明にかかる実施の形態１の表示セルの表示の説明図である図４に示されているように、（Ｘ、Ｙ、Ｚ）−三次元空間へ配置された表示セルを、ディスプレイ部１３０が有するディスプレイモニタ上の（Ｘ、Ｙ）−二次元平面へ表示する。
【００７４】
その表示は、前述したように、（数５）で表される定義域（ただし、ここではＺ０＝Ｎ０＝２である）で定義される、（Ｘ、Ｙ、Ｚ）−三次元空間から（Ｘ、Ｙ）−二次元平面への（数６）で表される変換式を利用して行われる。
【００７５】
このようにして、上述の表示基準点設定変更指示に応じた表示基準点設定（Ｚ０＝Ｎ０＝２）における表示セルの表示が、２、３、４番目に放送が行われるテレビ番組に関するテレビ番組情報データおよびテレビ番組画像データが書き込まれた表示セルの表示として行われる。
【００７６】
なお、図４に示されているように、最も手前にある２番目に放送が行われるテレビ番組に関するテレビ番組情報データおよびテレビ番組画像データが書き込まれた表示セルの近傍には、その奥行き方向に存する表示セルに書き込まれたテレビ番組情報データおよびテレビ番組画像データが関するテレビ番組の放送されるチャネル（１ＣＨ〜６ＣＨ）を表示するためのテレビ番組放送チャネル表示タッグＴ１１１〜Ｔ１１６が表示されている。
【００７７】
また、放送が行われる順番が同じテレビ番組に関するテレビ番組情報データおよびテレビ番組画像データが書き込まれた表示セルが沿って存する円ＣＮには、円ＣＮに沿って存する表示セルに書き込まれたテレビ番組情報データおよびテレビ番組画像データが関するテレビ番組の放送される順番（ここでは２番目〜４番目である）を表示するための矢印付きテレビ番組放送順番表示タッグＴ１２４〜Ｔ１２６が表示されている。
【００７８】
▲３▼ユーザが行った拡大表示セル選択指示に応じて選択された表示セルの拡大表示が行われる場合の動作；ユーザ指示部１４０は、ユーザが行った拡大表示セル選択指示に応じて、選択された拡大表示されるべき表示セルの拡大表示を行うための指示を、中央演算処理部１１０に対して行う。
【００７９】
ここでの拡大表示セル選択指示は、２番目に２チャネルにおいて放送が行われるテレビ番組に関するテレビ番組情報データおよびテレビ番組画像データが書き込まれた表示セルＣ１２２の、ユーザによるポインタＰでのダブルクリックを利用して行われる（図４参照）。要するに、ポインタＰでダブルクリックされた表示セルが選択され、拡大表示されるわけである。
【００８０】
中央演算処理部１１０は、本発明にかかる実施の形態１の表示セルの表示の説明図である図５に示されているように、選択された表示セルＣ１２２を、ディスプレイ部１３０が有するディスプレイモニタ上の（Ｘ、Ｙ）−二次元平面へ拡大表示する。
【００８１】
このようにして、上述の拡大表示セル選択指示に応じて選択された表示セルの拡大表示が、２番目に２チャネルにおいて放送が行われるテレビ番組に関するテレビ番組情報データおよびテレビ番組画像データが書き込まれた表示セルＣ１２２の拡大表示として行われる。
【００８２】
（実施の形態２）
はじめに、本発明にかかる実施の形態２のＥＰＧ表示装置の構成図である図６を主として参照しながら、本実施の形態のＥＰＧ表示装置の構成について説明する。
【００８３】
本実施の形態のＥＰＧ表示装置は、テレビ番組データ蓄積部２２０に蓄積されている各テレビ番組に関するテレビ番組情報データおよびテレビ番組画像データがそれぞれ書き込まれる表示セルを、放送が行われる順番がより早いテレビ番組に関するテレビ番組情報データおよびテレビ番組画像データが書き込まれる表示セルが奥行き方向を基準にしてより手前にくるよう三次元空間に配置されていて、より手前にくるよう配置された表示セルがより大きく見えるように（図８参照）、ディスプレイ部２３０に表示する中央演算処理部２１０を備えている。
【００８４】
このように本実施の形態のＥＰＧ表示装置の構成は前述した実施の形態１のＥＰＧ表示装置の構成と類似しているが、本実施の形態においては、複数の表示セルの内、放送が行われる順番が同じであるテレビ番組に関するテレビ番組情報データおよびテレビ番組画像データが書き込まれる表示セルは、後述の（数１３）で表される直線ＬＮに沿って存するように配置される（図１２参照）。
【００８５】
なお、ディスプレイ部２３０は本発明の二次元ディスプレイを含む手段に対応し、中央演算処理部２１０は本発明の表示手段を含む手段に対応する。また、本実施の形態のＥＰＧ表示装置は、本発明のテレビ番組データ表示装置に対応する。また、本実施の形態のテレビ番組情報データおよびテレビ番組画像データは、本発明のテレビ番組データに対応する。
【００８６】
つぎに、本実施の形態のＥＰＧ表示装置の構成について、より詳細に説明する。
【００８７】
ユーザ指示部２４０は、ユーザ指示部１４０（図１参照）と類似した構成を有しており、ユーザが指示を入力するためのリモートコントローラを有する手段である。
【００８８】
ディスプレイ部２３０は、ディスプレイ部１３０（図１参照）と類似した構成を有しており、中央演算処理部２１０が行った演算の結果などをユーザに対してディスプレイするためのディスプレイモニタを有する手段である。
【００８９】
テレビ番組データ蓄積部２２０は、テレビ番組データ蓄積部１２０と類似した構成を有しており、インターネット上のデータサーバ（図示省略）側からデータ通信などを利用して送信されてくる各テレビ番組に関するテレビ番組情報データおよびテレビ番組画像データを蓄積しておくためのメモリを有する手段である。
【００９０】
テレビ番組情報データは、前述した実施の形態１の場合と同様、（１）テレビ番組の名称であるテレビ番組名、（２）１〜５チャネルの内のテレビ番組の放送が行われるチャネルであるテレビ番組放送チャネル、（３）テレビ番組の放送が行われる年、月、日であるテレビ番組放送日、（４）テレビ番組の放送が開始される時、分およびテレビ番組の放送が終了される時、分であるテレビ番組放送時間、（５）テレビ番組のテレビ番組出演者からなるデータである。
【００９１】
テレビ番組画像データは、前述した実施の形態１の場合と同様、データサーバ（図示省略）側でテレビ番組に応じてあらかじめ選択されるパターンからなるデータである。
【００９２】
中央演算処理部２１０は、ユーザ指示部２４０が行う指示に応じて、テレビ番組データ蓄積部２２０に蓄積されている、各テレビ番組に関するテレビ番組情報データを文字情報として、各テレビ番組に関するテレビ番組画像データをバックグラウンド画像として、それぞれの表示セルに書き込み、テレビ番組情報データおよびテレビ番組画像データが書き込まれた表示セルをディスプレイ部２３０に表示するための中央処理装置やバッファメモリを有する手段である。
【００９３】
表示セルは、本発明にかかる実施の形態２の表示セルＣ２２２の説明図である図７に示されているように、上述したテレビ番組情報データが文字情報として、上述したテレビ番組画像データがバックグラウンド画像として書き込まれる、横の辺の長さがｗであって縦の辺の長さがｈである長方形の形状を有するセルである。
【００９４】
ここに、ｈ、ｗは、（連立）不等式
【００９５】
【数１１】
ｈ＜２（ｅ−１）／（ｅ＋１）、ｗ＜１
が成立するように定められている。
【００９６】
したがって、後に詳述されるように、表示セルの表示は、表示セル同士が互いに重なり合わないように行われる。
【００９７】
ここで、本実施の形態の特徴である、（Ａ）表示セルの（Ｘ、Ｙ、Ｚ）−三次元空間への配置、および（Ｂ）表示セルの（Ｘ、Ｙ）−二次元平面への表示について、より詳細に説明する。
【００９８】
（Ａ）表示セルの仮想的な（Ｘ、Ｙ、Ｚ）−三次元空間への配置は、表示が行われる現時点を基準にしてＮ（Ｎ≧１、Ｎは整数）番目にｋ（１≦ｋ≦５、ｋは整数）チャネルにおいて放送が行われるテレビ番組に関するテレビ番組情報データおよびテレビ番組画像データが書き込まれる表示セルに関しては、その中心が点
【００９９】
【数１２】
（ｋ、０、Ｎ）
に存しており、その縦の辺がＹ軸に平行であり、その横の辺がＸ軸に平行であるように行われる。
【０１００】
したがって、前述されたように、表示セルの配置は、放送が行われる順番がより早いテレビ番組に関するテレビ番組情報データおよびテレビ番組画像データが書き込まれる表示セルが奥行き方向であるＺ軸方向を基準にしてより原点Ｏ（０、０、０）に近い手前にくるように行われる。
【０１０１】
また、表示セルの配置は、表示が行われる現時点を基準にしてＮ番目に放送が行われるテレビ番組に関するテレビ番組情報データおよびテレビ番組画像データが書き込まれる表示セルの中心が、方程式
【０１０２】
【数１３】
Ｙ＝０、Ｚ＝Ｎ
で表される、直線ＬＮに沿って存するように行われる。
【０１０３】
また、表示セルの配置は、放送が行われるチャネルがｋチャネルであるテレビ番組に関するテレビ番組情報データおよびテレビ番組画像データが書き込まれる表示セルの中心が、方程式
【０１０４】
【数１４】
Ｘ＝ｋ、Ｙ＝０
で表される、奥行き方向であるＺ軸に平行である直線に沿って存するように行われる。
【０１０５】
（Ｂ）表示セルのディスプレイ部２３０が有するディスプレイモニタ上の（Ｘ、Ｙ）−二次元平面への表示は、定義域
【０１０６】
【数１５】
１−ｗ／２≦Ｘ≦５＋ｗ／２、｜Ｙ｜≦ｈ／２、Ｚ０≦Ｚ≦Ｚ０＋２　（Ｚ０≧１、Ｚ０は整数）
で定義される、（Ｘ、Ｙ、Ｚ）−三次元空間から（Ｘ、Ｙ）−二次元平面への、表示基準点（Ｘ０、１、Ｚ０）に関する変換式
【０１０７】
【数１６】
ｆ２（Ｘ、Ｙ、Ｚ）＝（Ｘ０＋（Ｘ−Ｘ０）ｅｘｐ（−（Ｚ−Ｚ０））、１＋（Ｙ−１）ｅｘｐ（−（Ｚ−Ｚ０）））
を利用して行われる。
【０１０８】
ここに、表示基準点（Ｘ０、１、Ｚ０）はユーザ指示部２４０が行う指示に応じてＸ０＝ｋ０（ｋ０≧１、ｋ０は整数）、Ｚ０＝Ｎ０（Ｎ０≧１、Ｎ０は整数）となるように変更可能であるが、Ｘ０のデフォルト値は３であり、Ｚ０のデフォルト値は１である。
【０１０９】
ディスプレイ部２３０が有するディスプレイモニタ上の（Ｘ、Ｙ）−二次元平面には、（Ｘ、Ｙ）−座標軸が実際に表示されるわけではないが、本発明にかかる実施の形態２の（Ｘ、Ｙ）−二次元平面へのデフォルト値を利用した表示の説明図である図１２には、その理解を容易にするため、実際にディスプレイモニタ上に表示されない（Ｘ、Ｙ）−座標軸などを重ねて表示した。
【０１１０】
したがって、前述されたように、表示セルの表示は、前述した実施の形態１の場合と同様、奥行きであるＺ座標に応じた乗法因子ｅｘｐ（−（Ｚ−Ｚ０））が利用されるゆえ、より原点Ｏ（０、０、０）に近い手前にくるよう配置された表示セルがより大きく見えるように行われる。
【０１１１】
また、表示セルの表示は、（１）Ｎ番目に放送が行われるテレビ番組に関するテレビ番組情報データおよびテレビ番組画像データが書き込まれる表示セル同士が表示されたときに互いに重なり合わないための条件（すなわち、これらの左右側辺が互いに重なり合わないための条件）である不等式
【０１１２】
【数１７】
（ｋ−１）＋ｗ／２＜ｋ−ｗ／２
すなわち不等式
【０１１３】
【数１８】
ｗ＜１
が成立し、かつ（２）（Ｎ−１）番目に放送が行われるテレビ番組に関するテレビ番組情報データおよびテレビ番組画像データが書き込まれる表示セルと、Ｎ番目に放送が行われるテレビ番組に関するテレビ番組情報データおよびテレビ番組画像データが書き込まれる表示セルとが表示されたときに互いに重なり合わないための条件（すなわち、これらの上下底辺が互いに重なり合わないための条件）である不等式
【０１１４】
【数１９】
１＋（ｈ／２−１）ｅｘｐ（−（（Ｎ−１）−Ｎ０））＜１＋（−ｈ／２−１）ｅｘｐ（−（Ｎ−Ｎ０））
すなわち不等式
【０１１５】
【数２０】
ｈ＜２（ｅ−１）／（ｅ＋１）
が成立することは、前述の（数１１）が成立することと同じであるゆえ、結局のところ表示セル同士が互いに全く重なり合わないように行われる。
【０１１６】
もちろん、表示セルの表示は、前述した実施の形態１の場合と同様、（数１３）、（数１５）〜（数１６）より、Ｎ０、Ｎ０＋１、Ｎ０＋２番目に放送が行われるテレビ番組に関するテレビ番組情報データおよびテレビ番組画像データが書き込まれる表示セルに関して行われる。たとえば、（数１５）〜（数１６）におけるＸ０（＝ｋ０）のデフォルト値は３であり、Ｚ０（＝Ｎ０）のデフォルト値は１であるゆえ、初期表示基準点設定における表示セルの表示は、放送が行われるチャネルが３チャネルであるテレビ番組に関するテレビ番組情報データおよびテレビ番組画像データが書き込まれる表示セルが正面にくるように、１、２、３番目に放送が行われるテレビ番組に関するテレビ番組情報データおよびテレビ番組画像データが書き込まれる表示セルに関して行われる。
【０１１７】
つぎに、本実施の形態のＥＰＧ表示装置の動作について説明する。なお、本実施の形態のＥＰＧ表示装置の動作について説明しながら、本発明のテレビ番組データ表示方法の一実施の形態についても説明する。
【０１１８】
以下では、前述した実施の形態１の場合と同様、▲１▼初期表示基準点設定を利用して表示セルの表示が行われる場合の動作、▲２▼ユーザが行った表示基準点設定変更指示に応じた表示基準点設定を利用して表示セルの表示が行われる場合の動作、▲３▼ユーザが行った拡大表示セル選択指示に応じて選択された表示セルの拡大表示が行われる場合の動作について、順に説明する。
【０１１９】
▲１▼初期表示基準点設定を利用して表示セルの表示が行われる場合の動作；ユーザ指示部２４０は、ユーザが行った指示に応じて、デフォルト設定として設定されている初期表示基準点設定（Ｘ０＝ｋ０＝３、Ｚ０＝Ｎ０＝１）における表示セルの表示を行うための指示を、中央演算処理部２１０に対して行う。
【０１２０】
中央演算処理部２１０は、ユーザ指示部２４０が行った指示に応じて、テレビ番組データ蓄積部２２０に蓄積されている、各テレビ番組に関するテレビ番組情報データを文字情報として、各テレビ番組に関するテレビ番組画像データをバックグラウンド画像として、それぞれの表示セルに書き込む。
【０１２１】
中央演算処理部２１０は、テレビ番組情報データおよびテレビ番組画像データが書き込まれた表示セルを、仮想的な（Ｘ、Ｙ、Ｚ）−三次元空間へ配置する。
【０１２２】
その配置は、前述したように、表示が行われる現時点を基準にしてＮ（Ｎ≧１、Ｎは整数）番目にｋ（１≦ｋ≦６、ｋは整数）チャネルにおいて放送が行われるテレビ番組に関するテレビ番組情報データおよびテレビ番組画像データが書き込まれた表示セルに関しては、その中心が（数１２）で表される点に存しており、その縦の辺がＹ軸に平行であり、その横の辺がＸ軸に平行であるように行われる。
【０１２３】
中央演算処理部２１０は、本発明にかかる実施の形態２の表示セルの表示の説明図である図８に示されているように、（Ｘ、Ｙ、Ｚ）−三次元空間へ配置された表示セルを、ディスプレイ部２３０が有するディスプレイモニタ上の（Ｘ、Ｙ）−二次元平面へ表示する。
【０１２４】
その表示は、前述したように、（数１５）で表される定義域（ただし、ここではＸ０＝ｋ０＝３、Ｚ０＝Ｎ０＝１である）で定義される、（Ｘ、Ｙ、Ｚ）−三次元空間から（Ｘ、Ｙ）−二次元平面への（数１６）で表される変換式を利用して行われる。
【０１２５】
このようにして、初期表示基準点設定（Ｘ０＝ｋ０＝３、Ｚ０＝Ｎ０＝１）における表示セルの表示が、放送が行われるチャネルが３チャネルであるテレビ番組に関するテレビ番組情報データおよびテレビ番組画像データが書き込まれる表示セルが正面にくるように、１、２、３番目に放送が行われるテレビ番組に関するテレビ番組情報データおよびテレビ番組画像データが書き込まれた表示セルの表示として行われる。
【０１２６】
なお、図８に示されているように、最も手前にある１番目に放送が行われるテレビ番組に関するテレビ番組情報データおよびテレビ番組画像データが書き込まれた表示セルの近傍には、その奥行き方向に存する表示セルに書き込まれたテレビ番組情報データおよびテレビ番組画像データが関するテレビ番組の放送されるチャネル（１ＣＨ〜５ＣＨ）を表示するためのテレビ番組放送チャネル表示タッグＴ２１１〜Ｔ２１５が表示されている。
【０１２７】
また、放送が行われる順番が同じテレビ番組に関するテレビ番組情報データおよびテレビ番組画像データが書き込まれた表示セルが沿って存する直線ＬＮには、直線ＬＮに沿って存する表示セルに書き込まれたテレビ番組情報データおよびテレビ番組画像データが関するテレビ番組の放送される順番（ここでは１番目〜３番目である）を表示するための矢印付きテレビ番組放送順番表示タッグＴ２２１〜Ｔ２２３が表示されている。
【０１２８】
▲２▼ユーザが行った表示基準点設定変更指示に応じた表示基準点設定を利用して表示セルの表示が行われる場合の動作；ユーザ指示部２４０は、ユーザが行った表示基準点設定変更指示に応じて、新たに設定されるべき表示基準点設定（Ｘ０＝ｋ０＝２、Ｚ０＝Ｎ０＝２）における表示セルの表示を行うための指示を、中央演算処理部２１０に対して行う。
【０１２９】
ここでの表示基準点設定変更指示は、２番目に２チャネルにおいて放送が行われるテレビ番組に関するテレビ番組情報データおよびテレビ番組画像データが書き込まれた表示セルＣ２２２の、ユーザによるポインタＰでのシングルクリックを利用して行われる（図８参照）。要するに、Ｎ０番目にｋ０チャネルにおいて放送が行われるテレビ番組に関するテレビ番組情報データおよびテレビ番組画像データが書き込まれた表示セルがポインタＰでシングルクリックされた場合には、Ｘ０＝ｋ０、Ｚ０＝Ｎ０となるように表示基準点設定が変更されるわけである。
【０１３０】
中央演算処理部２１０は、ユーザ指示部２４０が行った指示に応じて、テレビ番組データ蓄積部２２０に蓄積されている、各テレビ番組に関するテレビ番組情報データを文字情報として、各テレビ番組に関するテレビ番組画像データをバックグラウンド画像として、それぞれの表示セルに書き込む。
【０１３１】
中央演算処理部２１０は、テレビ番組情報データおよびテレビ番組画像データが書き込まれた表示セルを、仮想的な（Ｘ、Ｙ、Ｚ）−三次元空間へ配置する。
【０１３２】
中央演算処理部２１０は、本発明にかかる実施の形態２の表示セルの表示の説明図である図９に示されているように、（Ｘ、Ｙ、Ｚ）−三次元空間へ配置された表示セルを、ディスプレイ部２３０が有するディスプレイモニタ上の（Ｘ、Ｙ）−二次元平面へ表示する。
【０１３３】
その表示は、前述したように、（数１５）で表される定義域（ただし、ここではＸ０＝ｋ０＝２、Ｚ０＝Ｎ０＝２である）で定義される、（Ｘ、Ｙ、Ｚ）−三次元空間から（Ｘ、Ｙ）−二次元平面への（数１６）で表される変換式を利用して行われる。
【０１３４】
このようにして、上述の表示基準点設定変更指示に応じた表示基準点設定（Ｘ０＝ｋ０＝２、Ｚ０＝Ｎ０＝２）における表示セルの表示が、放送が行われるチャネルが２チャネルであるテレビ番組に関するテレビ番組情報データおよびテレビ番組画像データが書き込まれる表示セルが正面にくるように、２、３、４番目に放送が行われるテレビ番組に関するテレビ番組情報データおよびテレビ番組画像データが書き込まれた表示セルの表示として行われる。
【０１３５】
なお、図９に示されているように、最も手前にある２番目に放送が行われるテレビ番組に関するテレビ番組情報データおよびテレビ番組およびテレビ番組画像データが書き込まれた表示セルの近傍には、その奥行き方向に存する表示セルに書き込まれたテレビ番組情報データおよびテレビ番組画像データが関するテレビ番組の放送されるチャネル（１ＣＨ〜５ＣＨ）を表示するためのテレビ番組放送チャネル表示タッグＴ２１１〜Ｔ２１５が表示されている。
【０１３６】
また、放送が行われる順番が同じテレビ番組に関するテレビ番組情報データおよびテレビ番組画像データが書き込まれた表示セルが沿って存する直線ＬＮには、直線ＬＮに沿って存する表示セルに書き込まれたテレビ番組情報データおよびテレビ番組画像データが関するテレビ番組の放送される順番（ここでは２番目〜４番目である）を表示するための矢印付きテレビ番組放送順番表示タッグＴ２２４〜Ｔ２２６が表示されている。
【０１３７】
▲３▼ユーザが行った拡大表示セル選択指示に応じて選択された表示セルの拡大表示が行われる場合の動作；ユーザ指示部２４０は、ユーザが行った拡大表示セル選択指示に応じて、選択された拡大表示されるべき表示セルの拡大表示を行うための指示を、中央演算処理部２１０に対して行う。
【０１３８】
ここでの拡大表示セル選択指示は、２番目に２チャネルにおいて放送が行われるテレビ番組に関するテレビ番組情報データおよびテレビ番組画像データが書き込まれた表示セルＣ２２２の、ユーザによるポインタＰでのダブルクリックを利用して行われる（図９参照）。要するに、ポインタＰでダブルクリックされた表示セルが選択され、拡大表示されるわけである。
【０１３９】
中央演算処理部２１０は、本発明にかかる実施の形態２の表示セルの表示の説明図である図１０に示されているように、選択された表示セルＣ２２２を、ディスプレイ部２３０が有するディスプレイモニタ上の（Ｘ、Ｙ）−二次元平面へ拡大表示する。
【０１４０】
このようにして、上述の拡大表示セル選択指示に応じて選択された表示セルの拡大表示が、２番目に２チャネルにおいて放送が行われるテレビ番組に関するテレビ番組情報データおよびテレビ番組画像データが書き込まれた表示セルＣ２２２の拡大表示として行われる。
【０１４１】
テレビ番組情報データを表示する場合、それぞれのテレビ番組に関するテレビ番組情報データを一律の大きさで表示すると、表示結果は非常に見づらいものとなることが多い。上述した本実施の形態においては、放送が行われる順番がより早いテレビ番組に関するテレビ番組情報データやテレビ番組画像データが書き込まれる表示セルが奥行き方向を基準にしてより手前にくるよう三次元空間に配置されていて、より手前にくるよう配置された表示セルがより大きく見えるように、テレビ番組情報データおよびテレビ番組画像データの表示を行う。このため、多くの人間が本来有している時間的および空間的感覚を尊重しつつ、アクセス頻度がより高いと考えられるテレビ番組情報データやテレビ番組画像データを優先的に表示することができる。また、前述の表示基準点設定変更指示による表示基準点の設定変更機能や拡大表示セル選択指示による選択表示セルの拡大表示機能が実装されているために、視力が低い高齢者なども含め広範なユーザ層に対応したより使い勝手のよいユーザインターフェースが実現されている。
【０１４２】
以上においては、本実施の形態１〜２について詳細に説明を行った。
【０１４３】
なお、本発明のテレビ番組データは、上述した本実施の形態においては、（１）テレビ番組名、テレビ番組放送チャネル、テレビ番組放送日、テレビ番組情報データ、テレビ番組放送時間（およびテレビ番組出演者）からなるテレビ番組情報データ、および（２）パターンからなるテレビ番組画像データであった。しかし、これに限らず、本発明のテレビ番組データは、（１）テレビ番組の筋書きなどである番組内容からなるテレビ番組情報データ、および／または（２）テレビ番組の一シーンであるサムネイルからなるテレビ番組画像データであってもよい。
【０１４４】
また、本発明のテレビ番組データは、上述した本実施の形態においては、放送局側から送信されてきたり、またはインターネット上のデータサーバ側からデータ通信などを利用して送信されてきたりした。しかし、これに限らず、本発明のテレビ番組データは、ＣＤ−ＲＯＭ（ｃｏｍｐａｃｔ　ｄｉｓｋ　ｒｅａｄ−ｏｎｌｙ　ｍｅｍｏｒｙ）などのリムーバブルメディアを利用して供給されてもよい。
【０１４５】
また、本発明の表示セルは、上述した本実施の形態においては、長方形の形状を有していた。しかし、これに限らず、本発明の表示セルは、三角形、円板、星状形などの二次元図形の形状を有していてもよい。
【０１４６】
また、本発明の配置は、上述した本実施の形態においては、複数の表示セルの内、放送が行われるチャネルが同じであるテレビ番組に関するテレビ番組情報データおよびテレビ番組画像データが書き込まれる表示セルの中心が（数４）や（数１４）で表される奥行き方向であるＺ軸に平行である直線に沿って存するような配置であった。しかし、これに限らず、本発明の配置は、複数の表示セルの内、放送が行われるチャネルが同じであるテレビ番組に関するテレビ番組データが書き込まれる表示セルがランダムに存するような配置であってもよい。
【０１４７】
また、本発明の配置は、上述した本実施の形態においては、複数の表示セルの内、放送が行われる順番が同じであるテレビ番組に関するテレビ番組情報データおよびテレビ番組画像データが書き込まれる表示セルの中心が（数３）で表される円ＣＮや（数１３）で表される直線ＬＮに沿って存するような配置であった。しかし、これに限らず、本発明の配置は、複数の表示セルの内、放送が行われる順番または時間が同じであるテレビ番組に関するテレビ番組データが書き込まれる表示セルが、楕円や放物線などの曲線に沿って存するような配置であってもよいし、ランダムに存するような配置であってもよい。
【０１４８】
また、本発明の所定の曲線または直線は、上述した本実施の形態においては、（数３）で表される円ＣＮまたは（数１３）で表される直線ＬＮの何れかに固定されていた。しかし、これに限らず、本発明の所定の曲線または直線は、たとえば、あらかじめ定められた丸形モード、四角形モード、ライン型モードの内のユーザによって指示されたモードに応じてユーザの嗜好や目的に合うように変更可能であってもよい。
【０１４９】
また、本発明の表示は、上述した本実施の形態においては、複数の表示セル同士が互いに重なり合わないように行われた。しかし、これに限らず、本発明の表示は、複数の表示セルの内の全部または一部同士が互いに重なり合うように行われてもよい。
【０１５０】
また、本発明の表示は、上述した本実施の形態においては、放送が行われる順番がより早いテレビ番組に関するテレビ番組情報データおよびテレビ番組画像データが書き込まれる表示セルの面積がより大きくなるように行われた。しかし、これに限らず、本発明の表示は、放送が行われる時間がより早いテレビ番組に関するテレビ番組データが書き込まれる表示セルの面積がより大きくなるように行われてもよい。
【０１５１】
また、本発明の表示は、上述した本実施の形態においては、放送が行われるチャネルが同じであるテレビ番組に関するテレビ番組情報データおよびテレビ番組画像データが書き込まれる表示セルの中心が（数２）や（数１２）で表される点に存するように行われた。しかし、これに限らず、本発明の表示は、放送が行われるチャネルが同じであるテレビ番組に関するテレビ番組データが書き込まれる表示セルがそれらの位置、色彩、形状の内の少なくとも一つに関して整理されているように行われてもよい。
【０１５２】
また、本発明の表示は、上述した本実施の形態においては、放送が行われるチャネルが同じであるテレビ番組に関するテレビ番組データが書き込まれる表示セルがそれらの位置に関して整理されているように行われた。しかし、これに限らず、本発明の表示は、たとえば、テレビ番組データに基づいて表示セルがそれらの位置、色彩、形状の内の少なくとも一つに関して整理されているように行われてもよい。もちろん、本発明の表示は、たとえば、図１３に示されているように、テレビ番組のチャネルやジャンルに関するデータを含むテレビ番組データに基づいて、表示セルが、（１）テレビ番組のチャネルについてはそれらの位置に関するグルーピングを利用して整理され、（２）テレビ番組のジャンルについてはそれらの形状に関するグルーピング（すなわち、「テレビドラマ」のジャンルに属するテレビ番組に関するテレビ番組データが書き込まれる表示セルは三角形の形状を有し、その他のジャンルに属するテレビ番組に関するテレビ番組データが書き込まれる表示セルは長方形の形状を有するようなグループ化）を利用して整理されているように行われてもよい。なお、図１３は、本発明にかかる実施の形態の表示セルの表示の説明図である。
【０１５３】
また、本発明の表示は、上述した本実施の形態においては、ユーザの指示に応じたポインタＰによるシングルクリックで変更可能な（数５）や（数１５）で表される定義域に配置された表示セルに対して行われた。しかし、これに限らず、本発明の表示は、たとえば、ユーザの指示に応じたジョイスティックやトラックボールによる奥行き方向へのスクロールで変更可能な三次元空間の所定の領域に配置された表示セルに対して行われてもよい。
【０１５４】
また、本発明の表示は、上述した本実施の形態においては、（数６）や（数１６）で表される（Ｘ、Ｙ、Ｚ）−三次元空間から（Ｘ、Ｙ）−二次元平面への変換式を利用して行われた。しかし、これに限らず、本発明の表示は、その他の投影図法や透視図法を利用して行われてもよい。
【０１５５】
また、本発明の表示は、上述した本実施の形態においては、Ｎ０、Ｎ０＋１、Ｎ０＋２番目に放送が行われるテレビ番組に関するテレビ番組情報データおよびテレビ番組画像データが書き込まれる表示セルに関して行われた。しかし、これに限らず、本発明の表示は、Ｎ０、Ｎ０＋１、Ｎ０＋２、Ｎ０＋３、Ｎ０＋４番目に放送が行われるテレビ番組に関するテレビ番組データが書き込まれる表示セルに関して行われてもよい。
【０１５６】
また、本発明のテレビ番組の放送が行われるチャネルの数は、上述した本実施の形態においては、６または５であった。しかし、これに限らず、本発明のテレビ番組の放送が行われるチャネルの数は、任意であってもよい。
【０１５７】
なお、発明には、上述した本発明のテレビ番組データ表示装置の全部または一部の手段（または、装置、素子、回路、部など）の機能をコンピュータにより実行させるためのプログラムであって、コンピュータと協働して動作するプログラムが含まれる。もちろん、コンピュータは、ＣＰＵなどの純然たるハードウェアに限らず、ファームウェアやＯＳ、さらに周辺機器を含むものであっても良い。
【０１５８】
また、本発明には、上述した本発明のテレビ番組データ表示方法の全部または一部のステップ（または、工程、動作、作用など）の動作をコンピュータにより実行させるためのプログラムであって、コンピュータと協働して動作するプログラムが含まれる。
【０１５９】
なお、本発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【０１６０】
また、本発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【０１６１】
また、発明のプログラムを記録した、コンピュータに読みとり可能な記録媒体も発明に含まれる。また、発明のプログラムの一利用形態は、コンピュータにより読み取り可能な記録媒体に記録され、コンピュータと協働して動作する態様であっても良い。また、発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【０１６２】
なお、発明の構成は、ソフトウェア的に実現しても良いし、ハードウェア的に実現しても良い。
【０１６３】
また、発明には、上述した本発明のテレビ番組データ表示装置の全部または一部の手段の全部または一部の機能をコンピュータにより実行させるためのプログラムを担持した媒体であり、コンピュータにより読み取り可能かつ読み取られた前記プログラムが前記コンピュータと協動して前記機能を実行する媒体が含まれる。
【０１６４】
また、発明には、上述した本発明のテレビ番組データ表示方法の全部または一部のステップの全部または一部の動作をコンピュータにより実行させるためのプログラムを担持した媒体であり、コンピュータにより読み取り可能かつ読み取られた前記プログラムが前記コンピュータと協動して前記動作を実行する媒体が含まれる。
【０１６５】
【発明の効果】
以上述べたところから明らかなように、本発明は、その表示内容がユーザにとってより把握しやすいように電子番組ガイドの表示を行うことができるという長所を有する。
【図面の簡単な説明】
【図１】本発明にかかる実施の形態１のＥＰＧ表示装置の構成図である。
【図２】本発明にかかる実施の形態１の表示セルＣ１２２の説明図である。
【図３】本発明にかかる実施の形態１の表示セルの表示の説明図（その１）である。
【図４】本発明にかかる実施の形態１の表示セルの表示の説明図（その２）である。
【図５】本発明にかかる実施の形態１の表示セルの表示の説明図（その３）である。
【図６】本発明にかかる実施の形態２のＥＰＧ表示装置の構成図である。
【図７】本発明にかかる実施の形態２の表示セルＣ２２２の説明図である。
【図８】本発明にかかる実施の形態２の表示セルの表示の説明図（その１）である。
【図９】本発明にかかる実施の形態２の表示セルの表示の説明図（その２）である。
【図１０】本発明にかかる実施の形態２の表示セルの表示の説明図（その３）である。
【図１１】本発明にかかる実施の形態１の（Ｘ、Ｙ）−二次元平面へのデフォルト値を利用した表示の説明図である。
【図１２】本発明にかかる実施の形態２の（Ｘ、Ｙ）−二次元平面へのデフォルト値を利用した表示の説明図である。
【図１３】本発明にかかる実施の形態の表示セルの表示の説明図である。
【符号の説明】
１１０　中央演算処理部
１２０　テレビ番組データ蓄積部
１３０　ディスプレイ部
１４０　ユーザ指示部
２１０　中央演算処理部
２２０　テレビ番組データ蓄積部
２３０　ディスプレイ部
２４０　ユーザ指示部
【図１】
2004007257.tif 000003
【図２】
2004007257.tif 000004
【図３】
2004007257.tif 000005
【図４】
2004007257.tif 000006
【図５】
2004007257.tif 000007
【図６】
2004007257.tif 000008
【図７】
2004007257.tif 000009
【図８】
2004007257.tif 000010
【図９】
2004007257.tif 000011
【図１０】
2004007257.tif 000012
【図１１】
2004007257.tif 000013
【図１２】
2004007257.tif 000014
【図１３】
2004007257.tif 000015